(57)【要約】【課題】親機と、親機に載置可能な無線子機とを有する無線通信装置において、無線リンク確立要求信号の受信電波の強度を適切な強度にする。【解決手段】無線子機を使用して通話を行い（Ｓ21）、その後、ボタン操作により通話を終了する（Ｐ21）。無線子機から親機へ切断信号が送信され（Ｓ22）、親機から無線子機への無線リンクが解放される（Ｓ23）。無線子機の記憶部には、無線リンク解放直前の受信電波の強度値が保持されている。無線子機を親機に載せないまま放置し、その後開始ボタン操作を行う（Ｐ22）。無線子機では、このボタン操作を検出すると、記憶部に保持されている受信電波強度のデータをチェックする（Ｓ24）。親機の近くで通話を終了したので、記憶部に保持されている受信電波強度は”弱”である。無線リンク確立要求信号の送信電波強度を”弱”に設定し（Ｓ25）、送信電波強度が”弱”の無線リンク確立要求信号を親機へ送信する（Ｓ26）。【選択図】  図６
2005286376.tif 000002
【特許請求の範囲】
【請求項１】
親機と無線子機とで無線リンクを確立した後に無線通信を行う無線通信装置であって、前記無線リンク確立の条件を決定する決定手段と、前記決定手段で決定された電波強度で無線リンクを確立するリンク確立手段とを備えたことを特徴とする無線通信装置。
【請求項２】
着信を検出する着信検出手段と、前記着信を検出すると前記決定手段で決定された電波強度で無線リンクを確立するリンク確立手段とを備えたことを特徴とする請求項１記載の無線通信装置。
【請求項３】
前記無線子機は前記親機に載置可能であり、前記親機又は前記無線子機は前記無線子機が前記親機に載置されているか否かを検出する載置状態検出手段を備え、前記決定手段は、前記載置状態検出手段の検出出力に基づいて無線リンク確立の条件を決定することを特徴とする請求項１又は２記載の無線通信装置。
【請求項４】
前記決定手段は、前回の無線通信時に記憶した電波強度に基づいて無線リンク確立の条件を決定することを特徴とする請求項１又は２記載の無線通信装置。
【発明の詳細な説明】
【技術分野】
【０００１】
本発明は、コードレス電話装置、無線ＬＡＮ（ローカルエリアネットワーク）装置等の無線通信装置に関し、特に親機と、その親機に載置可能な無線無線子機とを有する無線通信装置における無線リンク確立手段に関する。
【背景技術】
【０００２】
コードレス電話装置、無線ＬＡＮ等の無線通信装置が普及している。コードレス電話装置、無線ＬＡＮ装置等の無線通信装置では、データ通信に先立って無線リンクを確立する。このような無線通信装置は、良好な通信状態が維持される距離が無線通信装置の設置環境等により変わるため、一定の伝送品質を確保するためには電波法で規定されている最大レベルで無線リンクを確立し、通信を行うことが望ましい。しかし、大レベルの電波で通信を行うことは、ノートパソコンのようなバッテリーで駆動される機器に無線装置が実装されている場合は消費電力の増大による連続動作可能時間の短縮をもたらすため、好ましいことではない。逆に、小レベルの電波で通信を行うと、消費電力は節約できるものの環境変化に対応できない。
【０００３】
そこで、このような問題点を解決するため、無線リンク確立要求先ノードは、無線リンク確立要求元ノードから無線リンク確立要求信号を受けた場合、その無線リンク確立要求の電波の受信強度を検出して受信強度検知信号を無線リンク確立要求元ノードに通知し、無線リンク確立要求元ノードは受信強度検知信号によって、無線リンク確立要求先ノードへの送信電波出力を制御するようにした無線通信システムが提案されている（特許文献１参照）。この無線通信システムによれば、電力消費を抑えることができ、かつ環境変化にも対応できるとされる。
【特許文献１】特開平７−３１２６１０公報
【発明の開示】
【発明が解決しようとする課題】
【０００４】
しかしながら、前記無線通信システムでは、無線リンク確立要求元ノードから無線リンク確立要求先ノードへ送信する無線リンク確立要求信号は最大レベルの信号であるため、無線リンク確立要求先ノードが無線リンク確立要求元ノードの至近距離に存在する場合には、無線リンク確立要求先ノードにおける受信強度が強すぎる（強入力）ためエラーになってしまうという問題点がある。特に、親機と、親機に載置可能な無線子機のように、通常は無線子機が親機の至近距離に存在する状態で無線リンク確立要求を行う無線装置の場合、問題が大きい。
【０００５】
本発明はこのような問題点を解決するためになされたもので、親機と、その親機と無線接続される無線子機とを備えた無線通信装置において、無線リンク確立要求信号の受信電波の強度を適切な強度にすることを目的とする。
【課題を解決するための手段】
【０００６】
請求項１に係る発明は、親機と無線子機とで無線リンクを確立した後に無線通信を行う無線通信装置であって、前記無線リンク確立の条件を決定する決定手段と、前記決定手段で決定された電波強度で無線リンクを確立するリンク確立手段とを備えたことを特徴とする無線通信装置である。
請求項２に係る発明は、請求項１に係る無線通信装置において、着信を検出する着信検出手段と、前記着信を検出すると前記決定手段で決定された電波強度で無線リンクを確立するリンク確立手段とを備えたことを特徴とする無線通信装置である。
請求項３に係る発明は、請求項１又は２に係る無線通信装置において、前記無線子機は前記親機に載置可能であり、前記親機又は前記無線子機は前記無線子機が前記親機に載置されているか否かを検出する載置状態検出手段を備え、前記決定手段は、前記載置状態検出手段の検出出力に基づいて無線リンク確立の条件を決定することを特徴とする無線通信装置である。
請求項４に係る発明は、請求項１又は２に係る無線通信装置において、前記決定手段は、前回の無線通信時に記憶した電波強度に基づいて無線リンク確立の条件を決定することを特徴とする無線通信装置である。
【発明の効果】
【０００７】
請求項１乃至４に係る発明によれば、無線リンク確立の条件を決定する決定手段で決定された電波強度で無線リンク確立要求信号を送信することにより、無線リンク確立要求信号の受信電波強度を適切な強度にすることができる。
【発明を実施するための最良の形態】
【０００８】
以下、図面を参照しながら本発明の実施形態について説明する。
図１は本発明をボタン電話装置に適用した実施形態を示すブロック図である。
【０００９】
このボタン電話装置は、１本以上の電話回線４に接続された主装置１と、内線伝送路２を介して主装置１に接続されたＮ個（Ｎ≧２）のボタン電話機3-1 〜3-N とから構成されている。ボタン電話機3-1 〜3-N は、それぞれ親機30-1〜30-Nと、無線子機50-1〜50-Nとから構成されている。ボタン電話機3-1 の親機30-1と無線子機50-1とは対をなしており、互いの親子間通信が可能となるように予め設定されている。同様に、ボタン電話機3-2 ・・・3-N の親子の間も対をなしており、互いの親子間通信が可能となるように予め設定されている。これらの親子間通信は、予め設定された親子間のみ可能であり、他の親又は子と通信することは出来ない。また、親機30-1〜30-Nには、それぞれ無線子機50-1〜50-Nを載せる場所（以下、載置部と言う）を30-1a 〜30-Na を備えている。そして、無線子機50-1〜50-Nを載置部30-1a 〜30-Na に載せることで親機30-1〜30-Nからそれぞれ無線子機50-1〜50-Nに充電が行われると共にオンフック状態となり、載置部30-1a 〜30-Na から取り上げることで充電が停止されると共にオフフック状態となる。
【００１０】
主装置１は、電話回線４及びボタン電話機3-1 〜3-N の状態を管理し、この主装置１全体の制御等を行う制御部11と、電話回線４を終端制御する外線インターフェース部12と、内線伝送路２を介してボタン電話機3-1 〜3-N を収容する内線インターフェース部13と、外線インターフェース部12と内線インターフェース部13とを交換接続する交換処理部14と、制御部11での制御に必要な各種制御情報、外線情報及び内線情報を関連付けて記憶する記憶部15とを備えている。
【００１１】
図２及び図３は、それぞれ図１における親機及び無線子機の構成を示すブロック図である。図１において、各親機30-1〜30-Nは同じ構成を持ち、各無線子機50-1〜50-Nも同じ構成を持つので、以下、区別する必要がある場合を除き、親機30、無線子機50とする。
【００１２】
図２に示すように、親機30は、この親機30全体の制御等を行う親機制御部31と、それぞれが親機制御部31に接続された内線インターフェース部32、無線インターフェース部33、音声処理部34、表示部35、操作部36、記憶部37、給電部38及び載置検出部39を備えている。給電部38の出力側には、無線子機50に電力を供給するための端子40が設けられている。
【００１３】
内線インターフェース部32は、内線伝送路２を介して主装置１と通信を行い、無線インターフェース部33は無線回線を介して無線子機50と通信を行う。音声処理部34は、呼出音や各種報知音の発生、親機30で無線子機50を使用せずに通話を行う所謂スピーカホン機能の実現のための処理等を行う。表示部35はＬＣＤ等を有し、親機制御部31から送られる各種情報を表示する。操作部36は、ダイヤルキー、外線キー、フックスイッチ等の各種キーを備え、操作者がこれらのキーを用いて入力した情報を親機制御部31へ送る。記憶部37は、親機制御部31が各種処理を実行するときに使用するプログラム等が予め格納されているＲＯＭ、親機制御部31が各種処理を実行するときに各種データ等を一時的に記憶するＲＡＭ、親機のＩＤ等を記憶するＥＥＰＲＯＭ等からなる。給電部38は、無線子機50が親機30に載置されているときに端子40を介して無線子機50に電力を供給する。載置検出部39は無線子機30が載置されているか否かを検出し、検出信号を親機制御部31へ送る。
【００１４】
図３に示すように、無線子機50は、この無線子機50全体の制御等を行う無線子機制御部51と、それぞれが無線子機制御部51に接続された無線インターフェース部52、音声処理部53、状態検出部56、記憶部57、表示部58及び操作部59を備えている。また、各部に電力を供給する電池54、及び親機30から端子60を介して供給される電力により電池54を充電する充電部55を備えている。
【００１５】
無線インターフェース部52は無線回線を介して親機30と通信を行う。音声処理部53は、図示されていないスピーカーやマイクを用いた音声通話機能、各種報知音等の生成機能を有する。状態検出部56は、例えば機械的なフックスイッチ、光電スイッチ等を用いてもよいし、親機30の端子40から無線子機50の端子60へ印加される電圧に基づいて検出する構成にしてもよい。記憶部57、表示部58、操作部59は、それぞれ親機30の記憶部37、表示部35、操作部36と同様に構成されている。
【００１６】
親機30と無線子機50との間の無線リンク確立動作は、親機30の無線インターフェース部33と無線子機50の無線インターフェース部52との間で行われる。無線リンクの状態（確立／解放）は無線インターフェース33及び52により検出されており、それぞれ親機制御部31及び無線子機制御部51へ送られている。無線リンクの確立は、親機30又は無線子機50のどちらかの無線インターフェース33又は52が無線リンク確立要求信号を相手側に送信することで行われる。無線リンク確立要求信号の送信電波強度及び無線通信の送信電波強度は例えば３段階に切換可能である。本実施形態では、このレベル切換は親機30と無線子機50の状態やメモリに記憶されている電波強度に応じて自動的に行われる。
【００１７】
次に、以上の構成を有する電話装置の無線リンク確立動作について図４乃至９を参照しながら説明する。ここで、図４は無線子機50を親機30に載せた状態から無線子機50を取り上げた場合、図５は無線子機50を親機30に載せた状態で親機30に着信があった場合、図６は無線子機50を用いて親機30の近くで通話を終了した後に親機30に載せないまま放置し、その後操作部59の操作を行った場合、図７は無線子機50を用いて親機30の近くで通話を終了した後に親機30に載せないまま放置し、その後親機30に着信があった場合、図８は無線子機50を用いて親機30の遠くで通話を終了した後に親機30に載せないまま放置し、その後操作部59の操作を行った場合、図９は無線子機50を用いて親機30の遠くで通話を終了した後に親機30に載せないまま放置し、その後親機30に着信があった場合の無線リンク確立動作を示している。以下、順番に説明する。
【００１８】
〔１〕無線子機を親機から取り上げた場合
図４に示すように、最初は親機30と無線子機50とは通信中である（ステップＳ１）。この状態では、ユーザは無線子機50を親機30から取り上げた後、その近くで親機30を介して外線又は内線通話を行っている。そして、ユーザが相手との通話を終了し、無線子機50を親機30の上に載せる（操作Ｐ１）と、無線子機50の状態検出部56により検出される。無線子機50の無線子機制御部51では、状態検出部56からの出力信号に基づいて、親機30に載置されたことを検出すると、その親機から供給される電力によって充電部55が電池54の充電を開始するように充電部55を制御するとともに、無線インターフェース部52から無線回線を介して、対をなしている親機30の無線インターフェース部33と通信を行い、載置されたことの検出をオンフックとみなして、親機30へ切断信号を送信する（ステップＳ２）。親機制御部31は、無線インターフェース部33を介して切断信号を受信すると、内線インターフェース部32及び内線２を経由して主装置１へその切断信号を送信するとともに、給電部38における給電を開始する。また、親機制御部31は、無線インターフェース部33を制御して無線子機50との間の無線リンクを解放する（ステップＳ３）。この無線リンク解放により、無線子機制御部51はスリープモードに入る。
【００１９】
次に、ユーザは無線子機50を用いて電話をかけるために、無線子機50を親機30の載置部30a から取り上げる（操作Ｐ２）。無線子機制御部51では、状態検出部56からの出力信号をチェックし、親機30から取り上げられたことを検出すると（ステップＳ４）、無線リンク確立要求信号の送信電波強度を”弱”に設定する（ステップＳ５）。これは、対をなしている親機30に直前迄載せられていたため、送信電波強度は”弱”でよいからである。そして、無線インターフェース部53から無線回線を介して親機30の無線インターフェース部33へ電波強度が”弱”の無線リンク確立要求信号を送信する（ステップＳ６）。次に、無線子機制御部51では、取り上げられたことをオフフックとみなし、電波強度が”弱”のオフフック通知信号を親機30へ送信する（ステップＳ７）。親機制御部31は、この通知信号を受信すると、内線インターフェース部32及び内線２を経由して主装置１へその電波強度が”弱”のオフフック通知信号を送信するとともに、給電部38における給電を停止する。以後の通信における送信電波強度は受信電波強度に応じて自動的に切換えられる。
【００２０】
〔２〕無線子機を親機に載せた状態で親機に着信があった場合
図５におけるステップＳ11、12、13及びＰ11は、それぞれ図４におけるステップＳ１、２、３及びＰ１と同じであるから、説明を省略する。
【００２１】
次に、親機30の内線インターフェース部32に対して主装置１から着信通知が送られてくると、親機制御部31は着信を検出する（ステップＳ14）。また、親機制御部31は載置検出部39の出力信号をチェックし、無線子機50が親機30に載っている、従って無線子機50が親機30に対して近くにあると判断すると（ステップＳ15）、無線リンク確立要求信号の送信電波強度を”弱”に設定する（ステップＳ16）。そして、無線インターフェース部33から無線回線を介して無線子機30の無線インターフェース部53へ電波強度が”弱”の無線リンク確立要求信号を送信する（ステップＳ17）。次いで、親機制御部31は電波強度が”弱”の着信通知信号を無線子機50へ送信する（ステップＳ18）。以後の通信における送信電波強度は受信電波強度に応じて自動的に切換えられる。
【００２２】
〔３〕無線子機を用いて親機の近くで通話を終了した後に親機に載せないまま放置し、その後無線子機の操作を行った場合
図６に示すように、最初は無線子機50は親機30と通信中である（ステップＳ21）。このとき、ユーザは無線子機50を親機30から取り上げた後、その近くで親機30を介して外線又は内線通話を行っている。また、この通話の間、親機30及び無線子機50は、それぞれの無線インターフェース部33及び52において受信電波の強度を定期的（例、２００ｍｓｅｃ毎）に検出しており、その受信電波強度は検出される毎に記憶部37及び57に記憶される。つまり、記憶部37及び57には、常に最新の受信電波強度が記憶された状態となる。
【００２３】
次に、無線子機50を用いて通話を行っていた使用者は通話を終了し、操作部59の終了ボタンを押す（操作Ｐ21）。無線子機制御部51は、このボタン操作を検出すると、無線インターフェース部52から無線回線を介して、親機30の無線インターフェース部33と通信を行い、親機30へ切断信号を送信する（ステップＳ22）。親機制御部31は、無線インターフェース部33を介して切断信号を受信すると、内線インターフェース部32及び内線２を経由して主装置１へその切断信号を送信するとともに、無線インターフェース部33を制御して無線子機50との間の無線リンクを解放する（ステップＳ23）。この無線リンク解放により、無線子機制御部51はスリープモードに入る。このとき、記憶部37及び57には、無線リンクを解放する前に検出された受信電波強度が保持されている。
【００２４】
次に、ユーザは無線子機50を用いて電話をかけるために、操作部59の開始ボタンを操作する（操作Ｐ22）。無線子機50の無線子機制御部51では、このボタン操作を検出すると、記憶部57に保持されている受信電波強度のデータをチェックする（ステップＳ24）。ここでは、無線子機を用いて親機の近くで通話を終了したので、記憶部57に保持されている受信電波強度は”弱”である。そこで、無線子機制御部51では、無線リンク確立要求信号の送信電波強度を”弱”に設定する（ステップＳ25）。そして、無線インターフェース部53から無線回線を介して親機30の無線インターフェース部33へ電波強度が”弱”の無線リンク確立要求信号を送信する（ステップＳ26）。次に、無線子機制御部51では、開始ボタンの操作をオフフックとみなし、電波強度が”弱”のオフフック通知信号を親機30へ送信する（ステップＳ27）。親機30の親機制御部31は、この通知信号を受け取ると、内線インターフェース部32及び内線２を経由して主装置１へそのオフフック通知信号を送信する。以後の通信における送信電波強度は受信電波強度に応じて自動的に切換えられる。
【００２５】
〔４〕無線子機を用いて親機の近くで通話を終了した後に親機に載せないまま放置した状態で親機に着信があった場合
図７におけるステップＳ31、32、33及びＰ31はそれぞれ図６におけるステップＳ21、22、23及びＰ21と同じであるから、説明を省略する。
【００２６】
次に、親機30の内線インターフェース部32に対して主装置１から着信通知が送られてくると、親機制御部31は着信を検出する（ステップＳ34）。また、親機制御部31は、記憶部37に保持されている受信電波強度のデータをチェックする（ステップＳ35）。ここでは、無線子機を用いて親機の近くで通話を終了したので、記憶部37に保持されている受信電波強度は”弱”である。そこで、親機制御部31では、無線リンク確立要求信号の送信電波強度を”弱”に設定する（ステップＳ36）。そして、無線インターフェース部33から無線回線を介して無線子機50の無線インターフェース部53へ送信電波強度が”弱”の無線リンク確立要求信号を送信する（ステップＳ37）。次いで、親機制御部31は送信電波強度が”弱”の着信通知信号を無線子機50へ送信する（ステップＳ38）。以後の通信における送信電波強度は受信電波強度に応じて自動的に切換えられる。
【００２７】
〔５〕無線子機を用いて親機の遠くで通話を終了した後に親機に載せないまま放置し、その後無線子機の操作を行った場合
図８における各ステップは、無線子機50の終了ボタンを操作する（操作Ｐ41）場所及び開始ボタンを操作する（操作Ｐ42）場所が、親機30から遠いこと以外は図６の対応するステップと同じである。従って、無線子機50の無線子機制御部51が開始ボタンの操作を検出したときに、記憶部57に記憶されている受信電波強度は”強”となり（ステップＳ44）、無線子機制御部51では、無線リンク確立要求信号の送信電波強度を”強”に設定する（ステップＳ45）。そして、無線インターフェース部53から無線回線を介して親機30の無線インターフェース部33へ送信電波強度が”強”の無線リンク確立要求信号を送信する（ステップＳ46）。次に、無線子機制御部51では、開始ボタンの操作をオフフックとみなし、送信電波強度が”強”のオフフック通知信号を親機30へ送信する（ステップＳ47）。親機制御部31は、この通知信号を受け取ると、内線インターフェース部32及び内線２を経由して主装置１へそのオフフック通知信号を送信する。以後の通信における送信電波強度は受信電波強度に応じて自動的に切換えられる。
【００２８】
〔５〕無線子機を用いて親機の遠くで通話を終了した後に親機に載せないまま放置した状態で親機に着信があった場合
図９におけるステップＳ51、52、53及びＰ51はそれぞれ図８におけるステップＳ41、42、43及びＰ41と同じであるから、説明を省略する。
【００２９】
次に、親機30の内線インターフェース部32に対して主装置１から着信通知が送られてくると、親機制御部31は着信を検出する（ステップＳ54）。また、親機制御部31は、記憶部37に保持されている受信電波強度のデータをチェックする（ステップＳ55）。ここでは、無線子機を用いて親機の遠くで通話を終了したので、記憶部37に保持されている受信電波強度は”強”である。そこで、親機制御部31では、無線リンク確立要求信号の送信電波強度を”強”に設定する（ステップＳ56）。そして、無線インターフェース部33から無線回線を介して無線子機50の無線インターフェース部53へ送信電波強度が”強”の無線リンク確立要求信号を送信する（ステップＳ57）。次いで、親機制御部31は送信電波強度が”強”の着信通知信号を無線子機50へ送信する（ステップＳ58）。以後の通信における送信電波強度は受信電波強度に応じて自動的に切換えられる。
【００３０】
なお、以上の実施形態は、本発明をボタン電話装置に適用したものであるが、本発明は一般のコードレス電話機にも適用できる。
【図面の簡単な説明】
【００３１】
【図１】本発明をボタン電話装置に適用した実施形態を示すブロックである。
【図２】本発明の実施形態における親機の構成を示すブロック図である。
【図３】本発明の実施形態における無線子機の構成を示すブロック図である。
【図４】無線子機を親機に載せた状態から無線子機を取り上げた場合の無線リンク確立動作を示す図である。
【図５】無線子機を親機に載せた状態で親機に着信があった場合の無線リンク確立動作を示す図である。
【図６】無線子機を用いて親機の近くで通話を終了した後に親機に載せないまま放置し、その後無線子機の操作を行った場合の無線リンク確立動作を示す図である。
【図７】無線子機を用いて親機の近くで通話を終了した後に親機に載せないまま放置した状態で親機への着信があった場合の無線リンク確立動作を示す図である。
【図８】無線子機を用いて親機の遠くで通話を終了した後に親機に載せないまま放置し、その後無線子機の操作を行った場合の無線リンク確立動作を示す図である。
【図９】無線子機を用いて親機の遠くで通話を終了した後に親機に載せないまま放置した状態で親機への着信があった場合の無線リンク確立動作を示す図である。
【符号の説明】
【００３２】
30・・・親機、31・・・親機制御部、32・・・内線インターフェース部、33，52・・・無線インターフェース部、37，57・・・記憶部、50・・・無線子機、56・・・状態検出部、59・・・操作部。
【図１】
2005286376.tif 000003
【図２】
2005286376.tif 000004
【図３】
2005286376.tif 000005
【図４】
2005286376.tif 000006
【図５】
2005286376.tif 000007
【図６】
2005286376.tif 000008
【図７】
2005286376.tif 000009
【図８】
2005286376.tif 000010
【図９】
2005286376.tif 000011